(57)【要約】【課題】センサの消費電力を抑制しつつ、使用者の手が開口凹部に挿入されたことを検知する精度の低下を抑制することができる手乾燥装置を提供すること。【解決手段】この手乾燥装置１は、複数の発信素子からなり、開口凹部に挿入された手を検知するためのセンサ発信部１２ａ1、１２ａ2、１２ａ3と、複数のセンサ発信部１２ａ1、１２ａ2、１２ａ3と、からの発信状態を制御し、センサが使用者の手を検知すると送風機を駆動させる制御手段と、を備え、制御手段は、複数の発信素子であるセンサ発信部１２ａ1、１２ａ2、１２ａ3全てを発信させるように制御する通常モードと、複数の発信素子であるセンサ発信部１２ａ1、１２ａ2、１２ａ3のうちのセンサ発信部１２ａ2のみを発信させる一方で、他の発信素子であるセンサ発信部１２ａ1、１２ａ3は発信させないように制御する節電モードと、を備える。【選択図】図９
2010220925.tif 000002
【特許請求の範囲】
【請求項１】
使用者の手に空気を吹き付けて乾燥させる手乾燥装置であって、
空気を吹き出す送風機と、
前記送風機を内蔵するハウジングと、
使用者の手が挿入される空間が構成されるように、前記ハウジングの正面側部材と背面側部材とによって形成され、かつ前記ハウジングの上面に開口した開口凹部と、
前記正面側部材及び背面側部材のそれぞれに設けられ、前記送風機が吹き出す空気を前記開口凹部内に吹き出させるノズルと、
複数の発信素子及び少なくとも一つの受信素子からなり、前記開口凹部への手の挿入を検知するためのセンサと、
前記複数の発信素子からの発信状態を制御し、前記センサが使用者の手を検知すると前記送風機を駆動させる制御手段と、を備え、
前記制御手段は、
前記複数の発信素子全てを発信させるように制御する通常モードと、
前記複数の発信素子の少なくとも一つを発信させる一方で、他の発信素子は発信させないように制御する節電モードと、を備えることを特徴とする手乾燥装置。
【請求項２】
前記制御手段は、前記節電モードにおいて前記センサが使用者の手の挿入を検知した場合には、前記通常モードへと移行することを特徴とする請求項１に記載の手乾燥装置。
【請求項３】
前記複数の発信素子は前記背面側部材又は前記正面側部材に、正面視して幅方向において列を成すように配置されており、
前記制御手段は、前記節電モードにおいては、
前記幅方向において前記開口凹部の中央側に配置された発信素子を発信させ、
その発信させる発信素子よりも外側に配置される発信素子は発信させないように制御することを特徴とする請求項２に記載の手乾燥装置。
【請求項４】
前記制御手段は、前記節電モードにおいて、前記幅方向において前記開口凹部の中央側に配置された発信素子によって使用者の手の挿入を検知した場合には、前記送風機を駆動させることを特徴とする請求項３に記載の手乾燥装置。
【請求項５】
前記節電モードにおいて発信する発信素子の位置を、使用者が認識可能なように構成したことを特徴とする請求項２に記載の手乾燥装置。
【請求項６】
前記開口凹部に使用者が手を挿入し、前記制御手段が前記送風機を駆動させた後に、
前記制御手段は常に前記節電モードを実行することを特徴とする請求項３に記載の手乾燥装置。
【請求項７】
前記受信素子は、前記節電モードにおいて発信する発信素子に対面する位置に一つ設けられており、前記複数の発信素子全てが発信する信号を受信可能なように構成されており、
前記節電モードにおいて発信する発信素子に印加される電圧は、前記通常モードにおいて発信する発信素子に印加される電圧よりも低くなるように構成されることを特徴とする請求項３に記載の手乾燥装置。
【請求項８】
前記節電モードにおいて発信する発信素子は、
前記通常モードにおいては、第１の時間間隔ごとに発信し、
前記節電モードにおいては、前記第１の時間間隔よりも短い第２の時間間隔ごとに発信することを特徴とする請求項３に記載の手乾燥装置。
【請求項９】
前記制御手段は、前記発信素子が発信した信号を前記受信素子が受信する前記センサの状態変化に基づいて使用者の前記開口凹部への手の挿入を検知するものであって、
前記通常モードにおいては、前記センサの状態変化が第１の継続時間の間継続すると使用者の手が挿入されたと検知し、
前記節電モードにおいては、前記センサの状態変化が前記第１の継続時間よりも短い第２の継続時間の間継続すると使用者の手が挿入されたと検知することを特徴とする請求項３に記載の手乾燥装置。
【発明の詳細な説明】
【技術分野】
【０００１】
本発明は、手乾燥装置に関する。
【背景技術】
【０００２】
近年、特に公共のトイレ等においては、手洗い後に手に付着した水を拭き取るためのペーパータオルを削減する傾向が強まっており、ペーパータオルの代わりに手乾燥装置を設置する場合が増えている。このような手乾燥装置は、洗面ボウルが配置されている場所からは少し離れた洗面カウンター上の壁面や、洗面カウンターから離れたトイレ空間の壁面等に設置されている場合が多い（下記特許文献１参照）。
【０００３】
下記特許文献１において提案されている手乾燥装置は、手を挿入する開口凹部の背面側の壁に設けられた複数の発光素子と、背面側の壁に設けられた受光素子とからなるセンサを備えている。それら複数の発光素子のうちの一部の発光素子から正面側エアーノズル近傍に向かって照射される赤外線の反射光と、複数の発光素子のうちの他の発光素子から正面側エアーノズルよりも奥側に向かって照射される赤外線の反射光とを受光する受光素子を備えている。
【先行技術文献】
【特許文献】
【０００４】
【特許文献１】特開２００８−１１０２４０号公報
【発明の概要】
【発明が解決しようとする課題】
【０００５】
上述した従来の技術では、手乾燥装置が使用されていない場合であっても、開口凹部に使用者が手を挿入するのに備えて、常に発光素子を発光させ、手乾燥装置全体としては駆動状態を継続し続けているので、待機電力を抑制することができず、電力消費量を抑えることができなかった。
【０００６】
手乾燥装置では、その構成要素であるヒータや送風機といったものに関しては、様々な観点から節電技術が検討されている。しかしながら、ヒータ等に比較して消費電力が少ないセンサについては、節電の観点から有効な提案はされていなかった。センサについて節電する技術について検討すると、使用者の手が開口凹部に挿入されたことを検知する精度の低下が懸念され、使用者が不満を抱かない程度の検知精度を確保しつつ実効性のある節電技術を見出すことは困難であった。
【０００７】
本発明はこのような課題に鑑みてなされたものであり、その目的は、センサの消費電力を抑制しつつ、使用者の手が開口凹部に挿入されたことを検知する精度の低下を抑制することができる手乾燥装置を提供することにある。
【課題を解決するための手段】
【０００８】
上記課題を解決するために本発明に係る手乾燥装置は、使用者の手に空気を吹き付けて乾燥させる手乾燥装置であって、空気を吹き出す送風機と、前記送風機を内蔵するハウジングと、使用者の手が挿入される空間が構成されるように、前記ハウジングの正面側部材と背面側部材とによって形成され、かつ前記ハウジングの上面に開口した開口凹部と、前記正面側部材及び背面側部材のそれぞれに設けられ、前記送風機が吹き出す空気を前記開口凹部内に吹き出させるノズルと、複数の発信素子及び少なくとも一つの受信素子からなり、前記開口凹部への手の挿入を検知するためのセンサと、前記複数の発信素子からの発信状態を制御し、前記センサが使用者の手を検知すると前記送風機を駆動させる制御手段と、を備え、前記制御手段は、前記複数の発信素子全てを発信させるように制御する通常モードと、前記複数の発信素子の少なくとも一つを発信させる一方で、他の発信素子は発信させないように制御する節電モードと、を備えることを特徴とする。
【０００９】
本発明では、通常モードでは複数の発信素子全てを発信させ、節電モードでは複数の発信素子の少なくとも一つを発信させる一方で他の発信素子は発信させないように制御している。従って、節電モードにおいては、複数の発信素子の少なくとも一つを発信させるので、開口凹部に使用者の手が挿入されたことを検知し、送風機を駆動可能な状態とすることができる。この節電モードにおいては、他の発信素子を発信させないので、節電を図ることができる。このように通常モードと節電モードとでは、それぞれ発信素子を発信させる態様が異なり、発信素子において消費する電力も異なるので、使用環境や使用状況に応じてそれらのモードを切り替えて実行することができ、センサにおける消費電力を抑制しつつ、使用者の手の挿入を検知することができる。通常モードと節電モードとの切り替えは、手乾燥装置の使用環境の他、設定時刻への到達や、手乾燥装置の使用頻度等に応じて行ってもよい。
【００１０】
本願請求項２に係る手乾燥装置では、前記制御手段は、前記節電モードにおいて前記センサが使用者の手の挿入を検知した場合には、前記通常モードへと移行することを特徴とする。
【００１１】
この態様では、節電モードにおいて発信させる発信素子の数を少なくして節電を図りつつ、使用者の手の挿入を検知した場合には通常モードへと移行することで、開口凹部に使用者の手が挿入されている間は高い精度で使用者の手を検知し、確実に手を乾燥させることができるものとしている。
【００１２】
本願請求項３に係る手乾燥装置では、前記複数の発信素子は前記背面側部材又は前記正面側部材に、正面視して幅方向において列を成すように配置されており、前記制御手段は、前記節電モードにおいては、前記幅方向において前記開口凹部の中央側に配置された発信素子を発信させ、その発信させる発信素子よりも外側に配置される発信素子は発信させないように制御することを特徴とする。
【００１３】
節電モードにおいて発信させる発信素子の数は節電のために極力減らしたいので、両手を挿入するそれぞれの位置にある少なくとも二つの発信素子を発信させるよりは、どこか一つの発信素子を発信させるようにしたいものである。その一方で、開口凹部には両手を所定間隔あけて挿入することが多いため、一見、手の検知精度は両手を挿入するそれぞれの位置が高く、中央近傍は検知精度が低いものと思われる。そこで、本発明者らは、使用者が手乾燥装置の開口凹部に手を出し入れする際の手の動きに着目した。一般的に人間は、少し離れた物を取る際に、手を開きながら腕を伸ばしてその物を掴み、掴んだ状態のまま腕を元の位置まで戻す動作をする。この動作に代表されるように、人間は腕を伸ばす際に手を開き、腕を縮める際に手を閉じる習性があることを本発明者らは見出した。その知見に基づいて手乾燥装置の開口凹部に手を出し入れする使用者を観察すると、やはり手乾燥装置の開口凹部に手を挿入する際にも、手を広げながら挿入していることを発見した。そのため、開口凹部の幅方向における中央近傍に着目すると、少なくとも手を挿入する際には手を広げているから、その手の親指等が通過して手が検知されることになる。
【００１４】
そこで、この態様では、幅方向において開口凹部の中央側、すなわち中央寄り若しくは中央に配置されている発信素子を発信させ、他の発信素子は発信させないことで、節電モードにおける手の検知精度低下を軽微なものとしながら節電を図ることができる。
【００１５】
本願請求項４に係る手乾燥装置では、前記制御手段は、前記節電モードにおいて、前記幅方向において前記開口凹部の中央側に配置された発信素子によって使用者の手の挿入を検知した場合には、前記送風機を駆動させることを特徴とする。
【００１６】
上述したように本発明では、開口凹部の中央側に配置された発信素子による使用者の手の検知をトリガとして、節電モードから通常モードへと移行している。そのため、節電モードで制御されている場合において開口凹部に使用者が手を挿入すると、その手の挿入を検知して節電モードから通常モードへと移行し、その後通常モードにおける処理手順に従って送風機を駆動することになる。しかしながら、このような手順を踏むと、使用者が開口凹部に手を挿入してから送風機が駆動するまでにタイムラグが発生してしまい、使用者が違和感を覚える場合もある。そこで、この態様では、節電モードで制御されている場合において、開口凹部の中央側に配置された発信素子によって使用者の手の挿入を検知した場合には、通常モードへの移行手順とは独立して送風機を駆動させるように制御することを特徴としている。このような制御を実行することで、上述したようなタイムラグを違和感の無い状態まで短くすることができる。
【００１７】
本願請求項５に係る手乾燥装置では、前記節電モードにおいて発信する発信素子の位置を、使用者が認識可能なように構成したことを特徴とする。
【００１８】
この態様によれば、節電モードにおいて発信する発信素子の位置を使用者が認識可能なように構成しているので、使用者はどこに手をかざしたらよいかを明確に認識することができ、センサによる消費電力を抑制した節電モードにおいても、使用者の手の検知がより円滑なものとなる。
【００１９】
本願請求項６に係る手乾燥装置では、前記開口凹部に使用者が手を挿入し、前記制御手段が前記送風機を駆動させた後に、前記制御手段は常に前記節電モードを実行することを特徴とする。
【００２０】
上述したように本発明では、節電モードの実行により節電を図りながらも、使用者の手の挿入を検知すると、通常モードへ移行して使用者の手の検知を確実なものとし、使い勝手のよいものとしている。そのため、開口凹部に使用者が手を挿入して送風機を駆動させた後に常に節電モードを実行することで、使い勝手を損なうことなく節電することができる。
【００２１】
本願請求項７に係る手乾燥装置では、前記受信素子は、前記節電モードにおいて発信する発信素子に対面する位置に一つ設けられており、前記複数の発信素子全てが発信する信号を受信可能なように構成されており、前記節電モードにおいて発信する発信素子に印加される電圧は、前記通常モードにおいて発信する発信素子に印加される電圧よりも低くなるように構成されることを特徴とする。
【００２２】
上述したように本発明では、節電モードで開口凹部中央側の発信素子のみを発信させ、通常モードでは全ての発信素子を発信させている。
【００２３】
この態様によれば、受信素子は、節電モードにおいて発信する発信素子に対面する位置に一つ設けられており、複数の発信素子全てが発信する信号を受信可能なように構成されているので、節電モードにおいて発信する発信素子との距離が最も短いものとなる。したがって、節電モードにおいて発信する発信素子に印加する電圧を通常モードにおいて発信する発信素子に印加する電圧よりも低くしたとしても、互いに最短距離に配置されている発信素子と受信素子との間での信号の授受には影響が少ないので、節電モードにおける手の検知精度低下を軽微なものとしながら、より節電効果を高めることができる。
【００２４】
本願請求項８に係る手乾燥装置では、前記節電モードにおいて発信する発信素子は、前記通常モードにおいては、第１の時間間隔ごとに発信し、前記節電モードにおいては、前記第１の時間間隔よりも短い第２の時間間隔ごとに発信することを特徴とする。
【００２５】
この態様では、節電モードにおいて発信する発信素子が、通常モードにおいては第１の時間間隔ごとに発信し、節電モードにおいては第１の時間間隔よりも短い第２の時間間隔ごとに発信するので、発信素子の発信頻度を高めることが可能となり、上述したような親指等の一時的な通過といった検知しにくい事象に対してもその検知精度をより高めることができる。
【００２６】
本願請求項９に係る手乾燥装置では、前記制御手段は、前記発信素子が発信した信号を前記受信素子が受信する前記センサの状態変化に基づいて使用者の前記開口凹部への手の挿入を検知するものであって、前記通常モードにおいては、前記センサの状態変化が第１の継続時間の間継続すると使用者の手が挿入されたと検知し、前記節電モードにおいては、前記センサの状態変化が前記第１の継続時間よりも短い第２の継続時間の間継続すると使用者の手が挿入されたと検知することを特徴とする。
【００２７】
この態様によれば、発信素子が発信した信号を受信素子が受信するセンサの状態変化に基づいて開口凹部への使用者の手の挿入を検知するものである場合に、通常モードにおける第１の継続時間よりも、節電モードにおける第２の継続時間を短くすることで、センサの状態変化が短い間であったとしても検知することが可能となるので、上述したような親指等の一時的な通過といった検知しにくい事象に対してもその検知精度をより高めることができる。
【発明の効果】
【００２８】
本発明によれば、センサの消費電力を抑制しつつ、使用者の手が開口凹部に挿入されたことを検知する精度の低下を極力抑制することができる手乾燥装置を提供することができる。
【図面の簡単な説明】
【００２９】
【図１】本発明の実施の形態である手乾燥装置を洗面所に設置した状態を示す斜視図である。
【図２】図１に示す手乾燥装置の斜視図である。
【図３】図１に示す手乾燥装置の内部構造を示す斜視図である。
【図４】図１に示す手乾燥装置の一部省略正面図である。
【図５】図１に示す手乾燥装置の一部省略背面図である。
【図６】図４のＡ−Ａ線における断面図である。
【図７】図４のＢ−Ｂ線における断面図である。
【図８】図１に示す手乾燥装置のセンサの配置状態を示す概略平面図である。
【図９】図１に示す手乾燥装置のセンサの配置状態であって、節電モード時の発信状態を示す概略平面図である。
【図１０】通常モードと節電モードとの切り替えを説明するためのフローチャートである。
【図１１】センサが手を検知した場合に送風機を動作させるタイミングを説明するためのタイミングチャートである。
【図１２】通常モードの際の発信素子の発信状態を説明するためのタイミングチャートである。
【図１３】節電モードの際の発信素子の発信状態を説明するためのタイミングチャートである。
【発明を実施するための形態】
【００３０】
以下、添付図面を参照しながら本発明の実施の形態について説明する。説明の理解を容易にするため、各図面において同一の構成要素に対しては可能な限り同一の符号を付して、重複する説明は省略する。
【００３１】
以下、図面に基づいて、本発明の実施の形態である手乾燥装置について説明する。図１は本発明の実施の形態である手乾燥装置を洗面所に設置した状態を示す斜視図、図２は手乾燥装置の斜視図、図３は手乾燥装置の内部構造を示す斜視図、図４は手乾燥装置の一部省略正面図、図５は手乾燥装置の一部省略背面図である。また、図６は図４のＡ−Ａ線における断面図、図７は図４のＢ−Ｂ線における断面図、図８は図１に示す手乾燥装置のセンサおよび送風路の配置状態を示す概略平面図である。
【００３２】
図１に示すように、本実施形態の手乾燥装置１は、例えば、洗面所などの壁面Ｗに設置されている水栓２４付きの洗面器２０の側方に設置され、水栓２４および洗面器２０を利用して手を洗った人が、濡れた手を乾燥するために使用するものである。
【００３３】
図２〜図７に示すように、手乾燥装置１は、ファンモータ１３ｆ、１３ｒが内蔵されたハウジング２と、ハウジング２の上面に開口部３を有し当該ハウジング２の正面側部材１０ｆおよび背面側部材１０ｒによって形成された開口凹部４と、ファンモータ１３ｆ、１３ｒから送給される空気流を開口凹部４内へ吹き出すために正面側部材１０ｆおよび背面側部材１０ｒにそれぞれ水平方向に直線状に等間隔に列設された複数のノズル５ｆ、５ｒとを備えている。
【００３４】
また、開口凹部４を構成するハウジング２の右側面には側面部材７ａが着脱可能に装着され、側面部材７ａには、水滴の通過を防止するルーバー６を有する台形状の通気口９が設けられている。なお、ハウジング２の左側面にも側面部材７ａと鏡面対称な形状を有する側面部材７ｂが着脱可能に装着されている。そして、開口凹部４内に挿入された濡れた手から吹き飛ばされた水滴を回収するため、ハウジング２の底部に、回収容器１１が着脱可能に取り付けられている。
【００３５】
ファンモータ１３ｆは、送風路１４を介して、正面側部材１０ｆに設けられたノズル５ｆへ空気流を送給し、ファンモータ１３ｒは、送風路１５を介して、背面側部材１０ｒに設けられたノズル５ｒへ空気流を送給する。また、送風路１４の一部をなす分岐送風路１４ａ、１４ｂは、隣り合うセンサ発信部１２ａの間、すなわち各センサ発信部１２ａの横側に配置され、送風路１５の一部をなす分岐送風路１５ａ、１５ｂは、センサ受信部１２ｂの左右両横側に配置されている。
【００３６】
また、開口部３から開口凹部４内に挿入された手を検知してファンモータ１３ｆ、１３ｒを駆動させるため、図８に示すように、正面側部材１０ｆのノズル５ｆの下方には３個のセンサ発信部１２ａ1、１２ａ2、１２ａ3が水平方向に等間隔に列を成すように列状配置され、背面側部材１０ｒのノズル５ｒの下方には１個のセンサ受信部１２ｂが水平方向の中央部に配置されている。
【００３７】
図８に示すように、センサ発信部１２ａ1、１２ａ2、１２ａ3およびセンサ受信部１２ｂは、３つのセンサ発信部１２ａ1、１２ａ2、１２ａ3からの信号が、一つのセンサ受信部１２ｂで受信されるように、その位置および姿勢が設定されている。なお、本実施形態では、センサ発信部１２ａ1、１２ａ2、１２ａ3としてＬＥＤ（発光ダイオード、発信素子）を、センサ受信部１２ｂとしてＰＤ（フォトＩＣ、受信素子）を用いており、センサ発信部１２ａ1、１２ａ2、１２ａ3が発信（発光）する信号（光）が、センサ受信部１２ｂで受信（受光）されるが、これらに限定するものではない。
【００３８】
本実施形態では、センサ発信部１２ａ1、１２ａ2、１２ａ3の発信状態を異ならせることで、通常モードと節電モードとを備えている。通常モードは、センサ発信部１２ａ1、１２ａ2、１２ａ3の全てが発信するモードであり、節電モードは、センサ発信部１２ａ2のみが発信するモードである。尚、図には明示していないが、節電モードにおいて発信するセンサ発信部１２ａ2の位置が使用者に認識できるように、何らかの表示をすることが好ましい。この表示態様は特定のものに限られず、節電モードにおいて発信しているセンサ発信部が、センサ発信部１２ａ2のみであることが認識可能であればいかなる表示態様も採用することができる。
【００３９】
続いて各モードについて説明するが、まず、通常モードについて説明する。通常モードにおいては、センサ発信部１２ａ1、１２ａ2、１２ａ3全てが所定のパルスで信号をセンサ受信部１２ｂに向けて発信し続けている。開口凹部４内に手が挿入されていなければ、センサ発信部１２ａ1、１２ａ2、１２ａ3全てが発信する信号は、センサ受信部１２ｂで受信し続けるが、ひとたび手を挿入して、センサ発信部１２ａ1、１２ａ2、１２ａ3からの信号のうち、いずれか一つでも遮られると検知状態となる。
【００４０】
より具体的には、センサ発信部１２ａ1、１２ａ2、１２ａ3においては、例えば、２０ミリ秒おきに１０ミリ秒ずつひとつの発信部から信号を発信する動作を順番に行うことを繰り返し、この発信に同期して、センサ受信部１２ｂで信号を受信する。ひとつのセンサ発信部から発信された信号が開口凹部４内に挿入された手によって遮られ、センサ受信部１２ｂで受信されないと検知開始となり、パルスが５回続けて受信されないと検知確定となって、ファンモータ１３ｆ、１３ｒを駆動させるなどの制御を行う。
【００４１】
図８に示すように、開口凹部４内に挿入された手を検知する基準点として、検知ポイント１９ａ、１９ｂ、１９ｃを想定しており、センサ発信部１２ａ1、１２ａ2、１２ａ3とセンサ受信部１２ｂを結ぶ直線が、それぞれ検知ポイント１９ａ、１９ｂ、１９ｃを通過する。検知ポイント１９ａ、１９ｂ、１９ｃは所定の間隔をあけて配置されているが、この間隔は、たとえば、片手の掌の横幅よりもやや小さい寸法としておけば、開口凹部４内のどの場所に手を挿入しても手を検知できる。実際には検知ポイント以外でも、センサ発信部１２ａ1、１２ａ2、１２ａ3とセンサ受信部１２ｂを結ぶ直線を手で遮れば、検知となる。
【００４２】
検知ポイント１９ｂでは、センサ発信部１２ａ1および１２ａ3とセンサ受信部１２ｂを結ぶ直線が、挿入した手と略直交するので、指の隙間などがあれば信号が通過してセンサ受信部１２ｂで受信してしまうので検知漏れとなってしまう。一方、検知ポイント１９ａおよび１９ｃでは、センサ発信部１２ａ1および１２ａ3とセンサ受信部１２ｂを結ぶ直線が斜めに通過しているため、指の隙間を信号が通過しにくくなり、検知漏れは生じにくい。
【００４３】
開口凹部４に両手を挿入する場合は、検知ポイント１９ｂは両手の間に位置するため手を検知しにくいが、検知ポイント１９ａ、１９ｃの少なくとも一方は右手または左手を検知するので、実際の使用上、検知漏れは生じない。また開口凹部４に片手を挿入する場合は、検知ポイント１９ａ、１９ｂ、１９ｃのいずれかひとつ以上は検知する。
【００４４】
また、図８に示すように、検知ポイント１９ａおよび１９ｃで、センサ発信部１２ａ1および１２ａ3とセンサ受信部１２ｂを結ぶ直線が斜めに通過するようにしたため、センサ発信部１２ａ1および１２ａ3は開口凹部４の両端部寄りに配置されている。
【００４５】
続いて、節電モードについて説明する。節電モードにおいては、図９に示すように、センサ発信部１２ａ2のみが所定のパルスで発信し、信号をセンサ受信部１２ｂに向けて発信し続けている。開口凹部４内に手が挿入されていなければ、センサ発信部１２ａ2が発信する信号は、センサ受信部１２ｂで受信し続けるが、ひとたび手を挿入して、センサ発信部１２ａ2からの信号が遮られると検知状態となる。
【００４６】
上述したように、センサ発信部１２ａ2に対応する検知ポイント１９ｂは両手の間に位置するため、一見、節電モードにおいてセンサ発信部１２ａ2のみを発信させて手の挿入を検知させることは適さないと思われる。しかしながら、節電モードの特性、すなわち、節電状態（スリープ状態）から通常状態へと移行するトリガとして手を検知できれば足りることと、開口凹部４に手を入れる際の手の状態に着目すれば、必ずしも大きな問題とはならない。具体的には、節電モードにおいては、開口凹部４への手の挿入の検知は通常モードへと移行するためのトリガにすぎないため、一時的に手が挿入されたことを検知可能であれば足りる。そのため検知ポイント１９ｂを手の一部が一時的に通過したことを検知し、その後開口凹部４に手が挿入されている間は通常モードにおいてセンサ発信部１２ａ1、１２ａ2、１２ａ3全てを発信させれば、精度良く手を検知してファンモータ１３ｆ、１３ｒを駆動させ、確実に手を乾燥させることが可能となる。
【００４７】
また、手乾燥装置１の開口凹部４に手を出し入れする際の手の動きに着目すれば、次のような知見が得られる。一般的に使用者は、少し離れた物を取る際に、腕を伸ばしながら手を開いてその物を掴み、掴んだ状態のまま腕を元の位置まで戻す動作をする。この動作に代表されるように、使用者は腕を伸ばす際に手を開き、腕を縮める際に手を閉じる習性がある。そのため、手乾燥装置１の開口凹部４に手を出し入れする使用者を観察すると、やはり開口凹部４に手を出し入れする際にも、手を入れる際には手を広げながら入れて、手を出す際には手を閉じながら出す動作をする場合が多い。そのため、開口凹部４の幅方向における中央近傍、すなわち検知ポイント１９ｂに着目すると、少なくとも手を入れる際には手を広げているから、検知ポイント１９ｂを手の親指等が通過することになる。しかしながら、上述したように手を出す際には手を閉じてしまう場合も多いことから、この開口凹部４の中央側の検知ポイント１９ｂで常に使用者の手を検出することは困難である。そこで本実施形態では、この開口凹部４の中央側の検知ポイント１９ｂにおける検出をトリガとして節電モードから通常モードへと移行させることで、節電モードにおいて発信させるセンサ発信部の数をセンサ発信部１２ａ2一つだけという最小限なものとしつつ、開口凹部４への手の挿入を確実に検知し、その検知に基づいて通常モードに移行することでその後の使用者の手の出し入れに伴う制御を違和感のないようなものとすることができるものとしたのである。
【００４８】
続いて、通常モードと節電モードとを切り替えて実行するフローチャートを図１０に示し、その切り替えフローについて説明する。ステップＳ０１では、通常モードでの制御が実行され、センサ発信部１２ａ1、１２ａ2、１２ａ3の全てを発信させる。センサ発信部１２ａ1、１２ａ2、１２ａ3の発信状態を示すタイミングチャートの例を図１１に示す。図１１に示すように、センサ発信部１２ａ1、１２ａ2、１２ａ3においては、ｔ３おきにｔｗ１ずつひとつの発信部から信号を発信する動作を順番に行うことを繰り返し、この発信に同期して、センサ受信部１２ｂで信号を受信している。更に、センサ発信部１２ａ1の発信、センサ発信部１２ａ2の発信、センサ発信部１２ａ3の発信は、それぞれｔ４ずつずれて発信されており、検知ポイント１９ａ、１９ｂ、１９ｃのいずれかにおいて信号が発信されている状態となっている。尚、この場合の各パルスの信号強度はＶ１であり、各センサ発信部１２ａ1、１２ａ2、１２ａ3には、この信号強度Ｖ１で信号を発信できるように所定の電圧が印加される。
【００４９】
ステップＳ０２では、開口凹部４に手が挿入されたことを検知したか判断する。具体的には、センサ発信部１２ａ1、１２ａ2、１２ａ3のひとつのセンサ発信部から発信された信号が開口凹部４内に挿入された手によって遮られ、センサ受信部１２ｂで受信されないと検知開始となり、５回続けて受信されないと検知確定となる。検知確定となればステップＳ０３の処理に進み、検知確定とならなければステップＳ０６の処理に進む。
【００５０】
ステップＳ０３では、ファンモータ１３ｆ、１３ｒの駆動を開始する。ファンモータ１３ｆ、１３ｒの駆動状態を継続したままステップＳ０４の処理に進む。ステップＳ０４では、開口凹部４に挿入された手が非検知状態となっているか又はファンモータ１３ｆ、１３ｒの駆動を開始してから１分が経過したかを判断する。開口凹部４に挿入された手が非検知状態となっているか又はファンモータ１３ｆ、１３ｒの駆動を開始してから１分が経過していなければステップＳ０４の判断を継続し、そうでなければステップＳ０５の処理に進む。ステップＳ０５では、ファンモータ１３ｆ、１３ｒの駆動を停止し、ステップＳ０２の処理に戻る。
【００５１】
ステップＳ０６では、開口凹部４に手が挿入されたことを検知しない非検知状態となって３０分が経過したかを判断する。非検知状態となって３０分が経過していなければステップＳ０２の処理に戻り、非検知状態となって３０分が経過していればステップＳ０７の処理に進む。尚、本実施形態では非検知状態となって３０分が経過してからステップＳ０７の節電モードでの制御に移行するように構成しているけれども、節電モードへの移行タイミングはこれに限られるものではない。例えば、非検知状態となって即座に節電モードへ移行することも好ましい態様である。後述するように本実施形態では節電モードからの復帰を確実に行うように構成しているので、非検知状態となって即座に節電モードへ移行しても使用者が不便と感じることはない。また、使用者がスイッチを操作することで節電モードへ移行することも好ましく、タイマを備えて特定の時間帯（例えば夜間など）に節電モードへと移行することも好ましい。
【００５２】
ステップＳ０７では、節電モードでの制御が実行され、センサ発信部１２ａ2のみを発信させる。節電モードでのセンサ発信部１２ａ1、１２ａ2、１２ａ3の発信状態を示すタイミングチャートの例を図１２に示す。図１２に示すように、センサ発信部１２ａ1、１２ａ3においては信号を発信する動作を行っていない。一方、センサ発信部１２ａ2においては、ｔ５おきにｔｗ２ずつひとつの発信部から信号を発信する動作を順番に行うことを繰り返し、この発信に同期して、センサ受信部１２ｂで信号を受信している。尚、この場合のパルスの信号強度はＶ２であり、センサ発信部１２ａ2には、この信号強度Ｖ２で信号を発信できるように所定の電圧が印加される。
【００５３】
ステップＳ０１（図１１参照）とステップＳ１２（図１２参照）とを比較すると、Ｖ１はＶ２よりも大きくなるように、ｔ３はｔ５よりも長くなるように、ｔｗ１はｔｗ２よりも広く（長く）なるように、それぞれ制御されている。
【００５４】
通常モードにおいては、センサ発信部１２ａ1、１２ａ2、１２ａ3の全てが発信状態となっている。従って、それぞれの信号強度Ｖ１は、センサ受信部１２ｂに最も遠いセンサ発信部１２ａ1、１２ａ3が発信する信号がセンサ受信部１２ｂに確実に届くように設定されている。一方、節電モードでは、センサ発信部１２ａ2のみが発信状態であり、センサ発信部１２ａ2が発信する信号がセンサ受信部１２ｂに届けば足りる。そこで、センサ発信部１２ａ2は、センサ発信部１２ａ1、１２ａ3よりもセンサ受信部１２ｂに近いので、信号強度Ｖ１よりも弱い信号強度Ｖ２で発信されている。
【００５５】
ステップＳ０８では、開口凹部４に手が挿入されたことを検知したか判断する。具体的には、センサ発信部１２ａ2から発信された信号が開口凹部４内に挿入された手によって遮られ、センサ受信部１２ｂで受信されないと検知開始となり、３回続けて受信されないと検知確定となる。検知確定となればステップＳ０９の処理に進み、検知確定とならなければステップＳ０８の処理を継続する。
【００５６】
ステップＳ０９では、ファンモータ１３ｆ、１３ｒの駆動を開始する。ファンモータ１３ｆ、１３ｒの駆動状態を継続したままステップＳ１０の処理に進む。ステップＳ１０では、節電モードから通常モードへと移行し、ステップＳ０４の処理に進む。
【００５７】
上述したようにステップＳ０３及びステップＳ０９の、ファンモータ１３ｆ、１３ｒの駆動はステップＳ０２及びステップＳ０８における手の挿入の検知によって制御されている。図１３に手の検知とファンモータ１３ｆ、１３ｒの駆動との関係をタイミングチャートで示す。図１３に示すように、センサ受信部１２ｂで信号を受信しており、その信号の受信が途絶えると検知開始となる。上述したように、ステップＳ０２の通常モードでの検知では、信号パルスが５回続けて受信されないと検知確定となり、ステップＳ０８の節電モードでの検知では、信号パルスが３回続けて受信されないと検知確定となる。図１３に示すｔｓが、この検知確定となるための時間である。ｔｓが通常モードでは長く、節電モードで短いのは、節電モードではセンサ発信部１２ａ2のみから信号を発信しているため、手の検知がし難い場合もあり、そのような場合に備えて検知確定となる時間を短くすることで、使用者が違和感を覚えないようにしている。
【００５８】
また、センサ発信部１２ａ1、１２ａ2、１２ａ3及びセンサ受信部１２ｂの位置は、ノズル５ｆ、５ｒよりも下方に配置されているので、手を開口凹部４から引き出す場合にはいわゆるディレー制御を行うことが好ましい。使用者の手が、センサ発信部１２ａ1、１２ａ2、１２ａ3及びセンサ受信部１２ｂによって検知されなくなると、すなわちセンサ受信部１２ｂがセンサ発信部１２ａ1、１２ａ2、１２ａ3から発信される信号を受信し始めると、ファンモータ１３ｆ、１３ｒの駆動を停止する。この場合、センサ受信部１２ｂがセンサ発信部１２ａ1、１２ａ2、１２ａ3から発信される信号を受信し始めてから所定時間ｔｄ後にファンモータ１３ｆ、１３ｒの駆動を停止する。
【符号の説明】
【００５９】
１：手乾燥装置
２：ハウジング
３：開口部
４：開口凹部
５ｆ、５ｒ：ノズル
６：ルーバー
７ａ：側面部材
７ｂ：側面部材
９：通気口
１０ｆ：正面側部材
１０ｒ：背面側部材
１１：回収容器
１２ａ：センサ発信部
１２ａ1、１２ａ2、１２ａ3：センサ発信部
１２ｂ：センサ受信部
１３ｆ、１３ｒ：ファンモータ
１４：送風路
１４ａ、１４ｂ：分岐送風路
１５：送風路
１５ａ、１５ｂ：分岐送風路
１９ａ、１９ｂ、１９ｃ：検知ポイント
２０：洗面器
２４：水栓
Ｗ：壁面
【図１】
2010220925.tif 000003
【図２】
2010220925.tif 000004
【図３】
2010220925.tif 000005
【図４】
2010220925.tif 000006
【図５】
2010220925.tif 000007
【図６】
2010220925.tif 000008
【図７】
2010220925.tif 000009
【図８】
2010220925.tif 000010
【図９】
2010220925.tif 000011
【図１０】
2010220925.tif 000012
【図１１】
2010220925.tif 000013
【図１２】
2010220925.tif 000014
【図１３】
2010220925.tif 000015